(57)【要約】      （修正有）【課題】回路遮断器の器体を大型化することなく比較的小さな短絡（コード短絡）の領域においても確実に動作が可能な回路遮断器を提供すること。【解決手段】操作ハンドルのＯＮ／ＯＦＦ操作を接触子の開閉動作に連動させるとともに，熱動−電磁式の引外し装置１０５の作動によって接触子を開離させる開閉機構を有する回路遮断器において，前記引外し装置の作動によって引外される前記開閉機構に設けられるラッチ機構部１０５２は，前記電磁式の引外し装置によって，前記ラッチ機構部がラッチされる方向に付勢される。【選択図】図１
2008210742.tif 000002
【特許請求の範囲】
【請求項１】
操作ハンドルのＯＮ／ＯＦＦ操作を接触子の開閉動作に連動させるとともに，
熱動−電磁式の引外し装置の作動によって接触子を開離させる開閉機構を有する回路遮断器において，
前記引外し装置の作動によって引外される前記開閉機構に設けられるラッチ機構部は，
前記電磁式の引外し装置によって，前記ラッチ機構部がラッチされる方向に付勢されることを特徴とする回路遮断器。
【請求項２】
前記ラッチ機構部及び電磁式の引外し装置は，回路遮断器を構成する器体に回動自在に保持され，
該電磁式の引外し装置は，弾性部材により，前記ラッチ機構部がラッチされる方向に付勢されることを特徴とする請求項１記載の回路遮断器。
【請求項３】
前記ラッチ機構部及び電磁式の引外し装置は，回路遮断器を構成する器体に，
該ラッチ機構部及び電磁式の引外し装置の各々の回動中心を略同一として保持されたことを特徴とする請求項２記載の回路遮断器。
【発明の詳細な説明】
【技術分野】
【０００１】
本件の発明は回路遮断器に関し，特に熱動−電磁式の回路遮断器における引外し装置に関するものである。
【背景技術】
【０００２】
従来の回路遮断器の引外し装置には，図８に示したような回路遮断器における引外し装置があった。該回路遮断器は，操作ハンドルのＯＮ／ＯＦＦ操作を接触子の開閉動作に連動させるとともに，熱動−電磁式の引外し装置の作動によって接触子を開離させる開閉機構を有する回路遮断器である。該開閉機構には，前記引外し装置の作動によって引外されるラッチ機構部が設けられている。前記ラッチ機構部は，通常時は，接触子をＯＮ位置，もしくはＯＦＦ位置に付勢するためのばね部材が設けられるアーム部材の一部が前記引外し装置の作動によって引き外し駆動される引外し部材に設けられるラッチ部にラッチし，引外し時は，前記引外し部材のラッチ部と前記アーム部材の一部とのラッチが解かれるように設けられている。また，前記引外し装置は，長限時引外しを行うバイメタル装置と，瞬時引外しを行う固定鉄心及び可動鉄片などの電磁素子を備えた電磁引外し装置により構成されている熱動−電磁式の引外し装置である。
【０００３】
前記回路遮断器が接続された電路に過負荷電流や短絡電流などの過電流が流れた場合，前記回路遮断器の定格電流に対して過負荷となる領域では，前記過負荷電流によるジュール熱によって前記バイメタルが過熱されるとともに所定の方向に湾曲することにより，該バイメタル装置が前記開閉機構に作用し，前記ラッチ機構部を引外すことによりバイメタル装置による長限時引外しを行う。また，前記回路遮断器の定格電流に対して短絡となる領域では，前記短絡電流によって発生される電磁力により，前記可動鉄片が固定鉄心に引き付けられることにより，前記開閉機構に作用し，前記ラッチ機構部を引外し，電磁引外し装置による瞬時引外しを行う。
【０００４】
図８に示した回路遮断器における引外し装置１０５は，固定鉄心である電磁枠１０５４と，可動鉄片である電磁鉄片１０５３と，開閉機構部とのラッチ部を構成する回動自在に保持された引外し部材１０５１とを含んで構成されている。
【０００５】
前記電磁枠１０５４は，前記電磁鉄片１０５３と磁気回路を構成するように設けられており，該磁気回路を貫くように導体であるバイメタル１０５５が配設され，前記電磁枠１０５４は該バイメタル１０５５を略包囲するよう形成されている。
【０００６】
電磁鉄片１０５３は，ねじ止めにより引外し部材１０５１に固定されており，引外し部材１０５１と一体となり作動する。即ち，回路遮断器の定格電流に対して短絡となる領域において，前記短絡電流によって発生する電磁力により，前記電磁鉄片が電磁枠に引き付けられるよう動作する際には，該電磁鉄片とともに前記引外し部材１０５１も一体となり前記電磁鉄片が電磁枠に引き付けられる方向に回転を開始するよう動作する。
【０００７】
引外し部材１０５１は，回動軸１０５１２部分から一方に，ラッチ部１０５２及び前記バイメタルが作用して前記ラッチ部を引外すための引外し作用部が設けられ，他方には，該引外し部材１０５１のラッチ部１０５２のラッチを保つ方向，即ち前記磁気回路の空隙を広げる方向に該引外し部材１０５１を付勢するための付勢ばね（図示しない）が係合する付勢ばね係合部が設けられ，平常，回路遮断器がＯＮの状態である場合には，ラッチ部１０５２のラッチを保つように作用している。
【０００８】
【特許文献１】特開２００５−３５３４４０号  図４
【発明の開示】
【発明が解決しようとする課題】
【０００９】
昨今，分電盤に組み込まれる回路遮断器の機能として，コンセント回路よりも負荷側で発生する比較的小さな短絡（コード短絡）を保護する機能を備えることが要望されている。しかしながら，従来の引外し装置においては次のような問題があった。
【００１０】
前述したような比較的小さな短絡（コード短絡）の領域においては，通常の短絡電流と比較して該短絡電流によって発生する電磁力が小さくなる。そのため，前記電磁鉄片が電磁枠に引き付けられる力（吸引力）が弱く，前記電磁式の引外し装置が十分に駆動しないというおそれがあった。
【００１１】
前記電磁式の引外し装置が十分に駆動しない場合には，前記引外し部材のラッチ部を引外すことができず，接触子の開離が行えず，電路を遮断することができない。
【００１２】
前記引外し部材のラッチ部を引外す条件としては，前記開閉機構のラッチ部の引外しを妨げる力よりも前記吸引力が大きくなることが必要である。即ち，前記ラッチ部の引外しを妨げる力には，ラッチ部のラッチを解くための力（係合力）と，引外し部材が付勢ばねにより付勢される力（付勢力）との２つがあるため，電磁引外し装置が引外し部材に作用する位置におけるこれらの合力よりも吸引力が大きくなることが必要である。
【００１３】
例えば，比較的小さな短絡（コード短絡）の領域で引外し動作を行うことができるように，引外し装置の駆動が始まる短絡電流の大きさを小さくするような解決策として前記付勢ばねの付勢力と前記係合力の合力に打ち勝つよう，前記磁気回路を貫く磁束を多くするために，磁気回路の断面積，即ち電磁枠及び可動鉄片に用いる部材の厚さを厚くして対応するということが考えられるが，結果として，引外し装置の大型化を招く恐れがあり，ひいては回路遮断器の器体の大型化を招く恐れがあるため，電磁枠及び可動鉄片に用いる部材の厚さを厚くして対応するということは現実的ではなかった。
【００１４】
本発明は，このような課題を解決するために，回路遮断器の器体を大型化することなく比較的小さな短絡（コード短絡）の領域においても確実に動作が可能な回路遮断器を提供することを目的とするものである。
【課題を解決するための手段】
【００１５】
以上のような課題を解決するために，請求項１の発明においては，操作ハンドルのＯＮ／ＯＦＦ操作を接触子の開閉動作に連動させるとともに，熱動−電磁式の引外し装置の作動によって接触子を開離させる開閉機構を有する回路遮断器において，前記引外し装置の作動によって引外される前記開閉機構に設けられるラッチ機構部は，前記電磁式の引外し装置によって，前記ラッチ機構部がラッチされる方向に付勢されることを特徴として回路遮断器を提供したものである。
【００１６】
これにより，前記ラッチ機構部は，前記電磁式の引外し装置によって該ラッチ機構部がラッチされる方向に付勢されているため，短絡時には，短絡電流による電磁力により，まず，電磁引外し装置が駆動を開始することにより，前記ラッチ機構部のラッチされる方向への付勢が解かれ，その後，該可動鉄片が固定鉄心に引き付けられることにより作用し，ラッチを引外す。即ち，前記電磁式の引き外し装置は，前記ラッチ機構部のラッチされる方向への付勢を解く第一段階，ラッチ機構部に電磁式の引外し装置が作用し，ラッチを引外す第二段階，というように駆動の際に段階的な役割を持たせて，該可動鉄片に空走距離を持たせるとともに引き外し荷重を軽減させ，比較的小さな電流により発生する電磁力であってもラッチ機構部に作用する際の力が十分であるように構成したため，該電磁式の引外し装置の駆動開始電流を小さくすることができ，小型でありながらも比較的小さな短絡（コード短絡）の領域においても確実に動作が可能な回路遮断器を提供することができる。
【００１７】
また，前記ラッチ機構部及び電磁式の引外し装置は，回路遮断器を構成する器体に回動自在に保持され，
該電磁式の引外し装置は，弾性部材により，前記ラッチ機構部がラッチされる方向に付勢されることを特徴として回路遮断器を提供したものである。
【００１８】
これにより，前記ラッチ機構部および前記電磁式の引外し装置を一つの弾性体により，前記ラッチ機構部がラッチされる方向に付勢を行うことができ，部品点数の削減，生産性の向上を行うことができる。
【００１９】
また，前記ラッチ機構部及び電磁式の引外し装置は，回路遮断器を構成する器体に，
該ラッチ機構部及び電磁式の引外し装置の各々の回動中心を略同一として保持されたことを特徴として回路遮断器を構成してもよい。
【００２０】
これにより，前記ラッチ機構部及び前記電磁式の引外し装置の各々の回動中心を略一致させることにより，吸引力を有効に活用することができ，効率よく引外し動作を行うことができる。
【発明の効果】
【００２１】
本件の発明によれば、回路遮断器の器体を大型化することなく，比較的小さな短絡（コード短絡）の領域においても確実に動作が可能な回路遮断器を提供することができる。
【発明を実施するための最良の形態】
【００２２】
以下，本発明の実施の形態について，図面を用いて詳細に説明する。
【００２３】
図１は電源端子側を左側とした場合の回路遮断器の内部構造図を示している。図１では手前にＬ相，奥側にＮ相（図示しない）の配置となっている。
【００２４】
回路遮断器はその器体がケース１００とカバー２００とから構成されている。カバーは，前記Ｌ相及びＮ相各々に設けられ，図１は前記Ｌ相側のカバーを取り外した状態となっている。
【００２５】
器体には，電源端子１０１と負荷端子１０２が設けられ，該電源端子１０１から負荷端子１０２に至る通電路に，可動接点１０３１ａを備えた可動接触子１０３１と，該可動接点１０３１ａと対をなし対向して固定接点１０３２ａを備えた固定接触子１０３２とからなる接点装置１０３と，該接点装置１０３を開極もしくは閉極操作するためのハンドル部材１０４１を含んでなる開閉機構１０４と，電路における過電流が発生した場合には開閉機構１０４に作用し，可動接点１０３１ａを開極動作させるバイメタル装置を用いた熱動式の引き外し装置a１０５a及び，可動鉄片１０５３固定鉄心１０５４からなる電磁式の引外し装置b１０５bで構成された引外し装置１０５とが設けられている。
【００２６】
前記開閉機構１０４には，前記引外し装置１０５の作動によって引外されるラッチ機構部が設けられている。該ラッチ機構部は，通常時は，可動接触子１０３１をＯＮ位置，もしくはＯＦＦ位置に付勢するためのばね部材が設けられるアーム部材１０４３の一部が前記引外し装置の作動によって引き外し駆動される引外し部材１０５１に設けられるラッチ部にラッチし，引外し時は，前記引外し部材のラッチ部と前記アーム部材１０４３の一部とのラッチが解かれるように設けられている。
【００２７】
ケース１００には，ハンドル部材１０４１がピン１０４２を介して回動自在に支持されている，ハンドル部材１０４１は図中下向きに延びる腕部１０４１ａを有し，その一端に設けられた可動接触子係止部１０４１ｂにより可動接触子１０３１が回動自在に支承されている。
【００２８】
また，ケース１００にはアーム１０４３がピン１０４４を介して回動自在に支持され，同じく引外し部材１０５１がピン１０５６を介して回動自在に支持されている。引外し部材１０５１には，アーム１０４３の一部が係合するためのラッチ部１０５２が設けられており，引外し部材１０５１にアーム１０４３が係合されている状態においてハンドル部材の操作により接点装置１０３の開極動作ならびに閉極動作が行えるように構成している。
【００２９】
アーム１０４３と可動接触子１０３１には，ばね部材の掛かり止め部１０４５ａと１０４５ｂが設けられ，引張ばねからなるばね部材１０４５が掛けられるようになっており，互いが引き合わされるように付勢され、前記１０４１bにてリンクを構成するハンドル部材１０４１と可動接触子１０３１において，可動接触子１０３１のばね部材係止部１０４５ｂとハンドル部材１０４１の回動中心となるピン１０４２を結ぶ線を死線として，ＯＮ状態のときに可動接触子係止部１０４１ｂが死線を図中負荷端子側に越えるよう配置される。図１において可動接触子１０３１はＯＮ状態である図示姿勢を保っている。なお，ハンドル部材１０４１にはその回動の角度の上限を定めるようケース１００と当接するハンドル回転角度規制部１０４１ｃを設けている。
【００３０】
ハンドル部材１０４１と可動接触子１０３１は前記１０４１bにてリンクを構成しており，図１において可動接触子１０３１はばね部材１０４５の復元力により，ハンドル部材１０４１は反時計回りに回転力を受けるとともに，可動接触子１０３１は時計回りに回転力を受け，固定接触子１０３２に押圧するようＯＮ状態を保っている（閉極状態）。次に，この状態から開極状態に操作させる場合について説明する。
【００３１】
図１において，ハンドル部材１０４１を右方向（時計回り）に回転操作すると，前記ピン１０４２を回転ねじとして腕部１０４１ａは左方向（時計回り）に回動し，ハンドル部材１０４１と可動接触子１０３１とからなるリンクの前記死線を，可動接触子係止部１０４１ｂが越えることにより，可動接触子１０３１に対するばね部材１０４５の作用が反転して，可動接触子１０３１は可動接触子係止部１０４１ｂを回転中心として，反時計回りの方向に付勢され，固定接触子１０３２から開極動作する（図２  ＯＦＦ状態）。
【００３２】
次に，電路に過電流が流れて引外し装置１０５が作用する場合について説明する。まず，前記回路遮断器の定格電流に対して過負荷となる領域では，図１において，ケース１００に設けられた電路の一部を構成するバイメタル装置１０５５は，電路に過電流が流れると，図中上方の一端を支点として引外し部材１０５１と離れる方向にたわみ，引外し部材１０５１に設けられた動作時間を調整するための調整ねじ１０５１５と係合し，引外し部材１０５１はピン１０５６を回動中心としてアーム１０４３とのラッチ部１０５２におけるラッチ量が少なくなる方向に回動する。
【００３３】
材料の高膨張側を可動鉄片１０５３側になるよう配置したバイメタル１０５５は，熱によるバイメタル１０５５の湾曲特性によって電磁枠１０５４側へ徐々に湾曲し，引外し部材１０５１の調節ねじ１０５１５の先端に当接する。
【００３４】
調節ねじ１０５１５の先端に当接したバイメタル１０５５は更に湾曲し，この押圧力によって引外し部材１０５１は，可動鉄片１０５３が当接した状態で回転を始める。引外し部材１０５１が回転を行うとともに，ラッチ部１０５２の係合はその係合量が徐々に少なくなり，ついには係合が外れ，開閉機構部のリンクのバランスがくずれて接点装置１０３は開極する。
【００３５】
図７に，バイメタル１０５５の湾曲による押し圧力によって引外し部材１０５１が可動鉄片１０５３とともに回動し，回路遮断器の閉極状態を維持しているアームと引外し部材１０５１とのラッチ部１０５２を引き外す瞬間の状態を示す。
【００３６】
回動が進みラッチが解かれると，アーム１０４３はピン１０４４を回動中心として図２中反時計回りに回動する。
【００３７】
それに伴い，ばね部材係止部１０４５ａも反時計回りに回動し、ばね部材係止部１０４５ｂと，可動接触子係止部１０４１ｂを結ぶ線上を越えた場合には，可動接触子1０３１に対するばね部材１０４５の作用が反転して，可動接触子１０３１は可動接触子係止部１０４５ｂを回動中心として図中反時計回りの方向に力を受け固定接触子１０３２から開極動作，即ちトリップ動作する（図３  トリップ状態）。
【００３８】
次に，トリップ動作によりラッチが解かれたアーム１０４３と引外し部材１０５１とを再び係合させる，即ちリセット動作させるには，ハンドル部材１０４１を一旦図３中時計回り（ＯＦＦ方向）に回動操作させ，該操作力によりハンドル部材１０４１の腕部１０４１ａでアーム１０４３の回動中心となるピン１０４４近傍に設けられた突出部１０４３ａを押圧することにより，アームを図３中反時計方向に回動中心をピン１０４４として回動させ，引外し部材のラッチ部１０５２の位置までアーム１０４３の係合部が持ち上げられることにより係合する。
【００３９】
次に図４を用いて，前記回路遮断器の定格電流に対して短絡となる領域で動作する電磁式の引外し装置１０５bについて詳しく説明する。
【００４０】
電磁式の引外し装置１０５bは，ラッチ部を構成し一端に設けた回動軸１０５６において回動自在に保持された引外し部材１０５１と，導体であるバイメタル１０５５近傍に配設され過電流が発生した際には電磁力により前記引外し部材１０５１に作用する可動鉄片１０５３と，該可動鉄片１０５３を吸引吸着せしめる可動鉄片吸着部１０５４１を有する電磁枠１０５４とを含んで構成され，可動鉄片１０５３は引外し部材１０５１の回動軸を中心に回動自在に保持されるよう配設されている。
【００４１】
前記可動鉄片１０５３の先端部には，前記引外し部材１０５１に作用する係合部１０５３が設けられている。
【００４２】
引外し部材１０５１は，可動鉄片１０５３が電磁枠１０５４に吸引される際に当接するように，まず，回動軸１０５６からラッチ部１０５２を形成した部分が設けられ，その延長上に当接部を形成した部分が設けられている。また，引外し部材１０５１には引外し装置による引外し動作を妨げる方向，即ち可動鉄片１０５３が電磁枠１０５４に吸引される方向とは反対の方向に引外し部材１０５１を付勢するよう作用する弾性部材にて形成された引外し部材ばね１０５１４が設けられている。
【００４３】
該引外し部材ばね１０５１４は，巻きばねで構成されており，一端をケースに設けられた保持部で保持され，他端は可動鉄片１０５３に掛けられている。引外し部材ばね１０５１４は，可動鉄片１０５３を，引外し部材回動軸を回動中心として引外し部材１０５１の方向に付勢するよう可動鉄片１０５３に作用する。
【００４４】
電磁枠１０５４と可動鉄片１０５３は，導体であるバイメタル１０５５を囲むように配置され，短絡電流が発生した場合には，前記バイメタルに流れる電流により生ずる電磁力により，可動鉄片１０５３が固定鉄心１０５４に吸引されて駆動することにより，引外し部材１０５１は，回動軸１０５６を中心に回転する。
【００４５】
平常の状態において可動鉄片１０５３は，引外し部材ばね１０５１４の付勢力によって，可動鉄片１０５３と電磁枠１０５４とから構成される磁気回路において空隙を設ける方向に付勢されている。また，引外し部材１０５１は前記可動鉄片１０５３によって，開閉機構とのラッチによる係合が行われる方向に付勢されている。即ち，引外し部材ばね１０５１４は，可動鉄片１０５３を図中時計回りに付勢させるとともに，前記引外し部材１０５１を前記可動鉄片１０５３を介して図中時計回りに付勢せしめるように設けられている。
【００４６】
バイメタル１０５５に短絡電流が流れた場合，前記バイメタルに流れる電流により生ずる電磁力により電磁枠１０５４と可動鉄片１０５３で形成される磁気回路によって，可動鉄片１０５３と電磁枠１０５４の間に吸引力が働き，まず，可動鉄片１０５３は，引外し部材ばね１０５１４の付勢力に抗じて引外し部材１０５１の回動軸を中心に電磁枠１０５４の方向に回転を始める。
【００４７】
このとき，可動鉄片１０５３は，該可動鉄片１０５３に掛けられた引外し部材ばね１０５１４の一端もあわせて圧縮するように回転を行う。引外し部材ばね１０５１４の他端はケースの保持部に保持されているために，可動鉄片１０５３が吸引される方向に回転を始める場合，前記電磁力による吸引力は，前記引外し部材ばねによるモーメントに打ち勝つだけの大きさが得られればよい。即ち，可動鉄片１０５３は，従来のように引外し部材に一体に取付けられている構造でないため，吸引初期に必要な電磁力は小さくて済むものである。また，引外し部材１０５１は可動鉄片１０５３を介してラッチする方向に付勢される構造であるため，該可動鉄片１０５３が吸引された場合には該引外し部材１０５１をラッチ方向に付勢する力はなくなる。
【００４８】
次に，可動鉄片１０５３の回転が進み，可動鉄片１０５３の先端が引外し部材１０５１の当接部に当接した瞬間の状態を図５に示す。
【００４９】
この段階から，引外し部材１０５１は，可動鉄片１０５３が当接した状態で回転を始める。引外し部材１０５１が回転を行うとともに，ラッチ部１０５２の係合はその係合量が徐々に少なくなり，ついには係合が外れ，開閉機構部のリンクのバランスがくずれて接点装置１０３は開極する。
【００５０】
図６に可動鉄片１０５３とともに回動した引外し部材１０５１がアームとのラッチ部１０５２を引外した瞬間の状態を示す。可動鉄片１０５３はラッチ部１０５２の係合を引外した後，最終的に電磁枠１０５４の可動鉄片吸着部１０５４１に吸着する。接点装置１０３が開極した時点で，導体に流れる電流はなくなるとともに，電磁力がなくなり，再び可動鉄片１０５３は引外し部材ばね１０５１４の力により，磁気回路における空隙が増加する方向に付勢され，可動鉄片１０５３は引外し部材１０５１に当接し，あわせて引外し部材１０５１も同方向に付勢され，トリップ位置になる。
【００５１】
さて，先に説明した引外し装置の動作において，可動鉄片が電磁枠に吸引されて回転を行う途中で引外し部材ばねは引外し部材に作用しなくなることを説明した。従来の引外し装置においては，可動鉄片がねじ止めなどにより引外し部材と一体化されているため，可動鉄片と引外し部材に初期の空隙（空走距離）がなく，可動鉄片による引外し部材への打撃力（衝撃力）が見込めず，さらには，引外し部材ばね荷重と係合力が可動鉄片に加わっているため，可動鉄片が駆動を始める短絡電流の大きさは大きくなっていた。駆動を始める短絡電流の大きさを小さくしようとすると，引外し部材ばねの付勢力と係合力に打ち勝つよう，磁気回路を貫く磁束を多くするために，磁気回路の断面積，即ち電磁枠及び可動鉄片に用いる部材の厚さを厚くする必要があり，引外し装置の大型化を招く恐れがあった。
【００５２】
本発明においては，前記ラッチ機構部は，前記電磁式の引外し装置によって該ラッチ機構部がラッチされる方向に付勢されているため，短絡時には，短絡電流による電磁力により，まず，電磁引外し装置が駆動を開始することにより，前記ラッチ機構部のラッチされる方向への付勢が解かれ，その後，該可動鉄片が固定鉄心に引き付けられることにより作用し，ラッチを引外す。即ち，前記電磁式の引き外し装置は，前記ラッチ機構部のラッチされる方向への付勢を解く第一段階，ラッチ機構部に電磁式の引外し装置が作用し，ラッチを引外す第二段階，というように駆動の際に段階的な役割を持たせて，該可動鉄片に空走距離を持たせるとともに引き外し荷重を軽減させ，比較的小さな電流により発生する電磁力であってもラッチ機構部に作用する際の力が十分であるように構成したため，該電磁式の引外し装置の駆動開始電流を小さくすることができ，小型でありながらも比較的小さな短絡（コード短絡）の領域においても確実に動作が可能な回路遮断器を提供することができる。
【００５３】
本発明の引外し装置においては，部品点数を削減し，さらに，駆動の途中で引外し部材ばね１０５１４の引外し部材１０５１への作用をなくすことが可能であるため，引外し部材１０５１の引外し力はラッチ部１０５２における係合力の引外し方向の分力に相当する大きさだけでよくなるため，引外し装置１０３における駆動を始める短絡電流の大きさをより小さくできる。即ち，引外しを行える短絡電流の大きさを小さくできることにより，電路の保護能力が向上できる引外し装置１０３を提供できるという副次効果もあることを付け加えておく。
【産業上の利用可能性】
【００５４】
本発明は，器体を大型化することなく比較的小さな短絡（コード保護）の領域においても確実な遮断動作が可能な回路遮断器への適用が可能である。また，複雑な形状をした部品を使用する必要がなくなるため，回路遮断器の組み立てにおいて，自動化を行う際にも有効であり，より一層の生産性向上を望むことができる。
【図面の簡単な説明】
【００５５】
【図１】本発明の回路遮断器の内部構造図。（ＯＮ状態）
【図２】本発明の回路遮断器の内部構造図。（ＯＦＦ状態）
【図３】本発明の回路遮断器の内部構造図。（ＴＲＩＰ状態）
【図４】引外し装置の動作図１。
【図５】引外し装置の動作図２。
【図６】引外し装置の動作図３。
【図７】引外し装置の動作図４。
【図８】従来の回路遮断器の瞬時引外し装置の構造の例を示している。
【符号の説明】
【００５６】
１  回路遮断器
１００      カバー
１０１      電源側端子
１０２      負荷側端子
１０３      接点装置
１０３１ａ  可動接点
１０３１    可動接触子
１０３２ａ  固定接点
１０３２    固定接触子
１０４      開閉機構部
１０４１    ハンドル部材
１０４１ａ  ハンドル脚部
１０４１ｂ  可動接触子係止部
１０４１ｃ  ハンドル回転角度規制部
１０４２    ハンドルピン
１０４３    アーム部材
１０４３ａ  突出部
１０４４    アームピン
１０４５    ばね部材
１０４５ａ  ばね部材係止部
１０４５ｂ  ばね部材係止部
１０５      引外し装置
１０５１    引外し部材
１０５１２  回動軸
１０５１３  当接部
１０５１４  引外し部材ばね
１０５１５  調節ねじ
１０５２    ラッチ部
１０５３    電磁鉄片
１０５４    電磁枠
１０５４１  可動鉄片吸着部
１０５５    バイメタル
１０５６    引外し部材ピン
【図１】
2008210742.tif 000003
【図２】
2008210742.tif 000004
【図３】
2008210742.tif 000005
【図４】
2008210742.tif 000006
【図５】
2008210742.tif 000007
【図６】
2008210742.tif 000008
【図７】
2008210742.tif 000009
【図８】
2008210742.tif 000010